(57)【要約】【課題】蝶番装置を箱の外側の配置して、扉開錠時には蝶番ピンを容易に外すことができるうえ、扉鎖錠時には扉をいたずら等によりに外すことができない電気機器収納箱の扉の蝶番構造を提供する。【解決手段】箱本体１の一方の側面に蝶番部３０を突出して形成して、また、扉２の一方の側面にも前記箱本体１の蝶番部３０と対応する蝶番部３１を形成して、両蝶番部３０、３１を枢着する蝶番ピン３２の頭部３３に装着した抜け止め部材３４にその一部を突出させた突出片３４ａを設け、該突出片３４ａを扉２の蝶番部３１又は箱本体１の蝶番部３０に隣接して設けた覆部３５に扉閉時に隠蔽させて扉開時のみ該覆部から外すことを可能に保持させる。【選択図】図３
2008291457.tif 000002
【特許請求の範囲】
【請求項１】
箱本体の一方の側面に蝶番部を突出して形成して、また、扉の一方の側面にも前記箱本体の蝶番部と対応する蝶番部を形成して、両蝶番部を枢着する蝶番ピンの頭部に装着した抜け止め部材にその一部を突出させた突出片を設け、該突出片を扉の蝶番部又は箱本体の蝶番部に隣接して設けた覆部に扉閉時に隠蔽させて扉開時のみ該覆部から外すことを可能に保持させたことを特徴とする電気機器収納部の扉の蝶番構造。
【請求項２】
箱本体の一方の側面に設けた蝶番部を略円筒形として、扉の一方の側面に設けた蝶番部を箱本体の蝶番部を挟み込むように形成して、覆部を扉の蝶番部に隣接して設けた請求項１に記載の電気機器収納部の扉の蝶番構造。
【請求項３】
扉の一方の側面に設けた蝶番部を略円筒形として、箱本体の一方の側面に設けた蝶番部を扉の蝶番部を挟み込むように形成して、覆部を箱本体の蝶番部に隣接して設けた請求項１に記載の電気機器収納部の扉の蝶番構造。
【発明の詳細な説明】
【技術分野】
【０００１】
本発明は、電気機器収納用箱内に電気機器類を設置又は保守点検の際に蝶番を分解し、扉を箱本体から分離して作業性の向上を図ることができるうえ、扉をいたずら等によりに外すことができない電気機器収納箱の扉の蝶番構造に関するものである。
【背景技術】
【０００２】
電気機器収納用箱は、箱内に電気機器類を設置や配線等の作業性の向上を図るため、扉を取り外す必要性がある。そのため、扉を箱本体に開閉自在に枢着する蝶番のピンを着脱自在として、このピンを外して蝶番を扉側と箱本体側に分割して扉を箱本体から取り外すものが一般的であった（特許文献１参照）。
【０００３】
ところが、ピンを着脱自在としたものは電気機器収納用箱を屋外に設置した場合に扉をいたずら等によりに外される虞がある。これを防止するには蝶番を箱内に位置させ、外部から触れることができないものとすればよいものである。しかしながら、蝶番を箱内に位置させたものにあっては、箱内に電気機器類を設置して配線を施してある場合にピンを外すための作業空間が狭く取外作業が厄介であるという問題ある。
【０００４】
【特許文献１】特開２００５−２９４２９９公報
【発明の開示】
【発明が解決しようとする課題】
【０００５】
本発明は前記のような問題点を解決して、蝶番装置を箱の外側の配置して、扉開錠時には蝶番ピンを容易に外すことができるうえ、扉鎖錠時には扉をいたずら等によりに外すことができない電気機器収納箱の扉の蝶番構造を提供することを目的として完成されたものである。
【課題を解決するための手段】
【０００６】
本発明の電気機器収納箱の扉の蝶番構造は、箱本体の一方の側面に蝶番部を突出して形成して、また、扉の一方の側面にも前記箱本体の蝶番部と対応する蝶番部を形成して、両蝶番部を枢着する蝶番ピンの頭部に装着した抜け止め部材にその一部を突出させた突出片を設け、該突出片を扉の蝶番部又は箱本体の蝶番部に隣接して設けた覆部に扉閉時に隠蔽させて扉開時のみ該覆部から外すことを可能に保持させたことを特徴とするものである。
なお、箱本体の一方の側面に設けた蝶番部を略円筒形として、扉の一方の側面に設けた蝶番部を箱本体の蝶番部を挟み込むように形成して、覆部を扉の蝶番部に隣接して設けたものとしても、扉の一方の側面に設けた蝶番部を略円筒形として、箱本体の一方の側面に設けた蝶番部を扉の蝶番部を挟み込むように形成して、覆部を箱本体の蝶番部に隣接して設けたものとしても良いものである。
【発明の効果】
【０００７】
前記のような本発明は、両蝶番部を枢着する蝶番ピンの頭部に装着した抜け止め部材にその一部を突出させた突出片を設け、該突出片を扉又は箱本体の蝶番部に隣接して設けられている覆部に扉閉時に隠蔽させて保持させているので、両蝶番部を枢着する蝶番ピンが箱本体、扉の外側にあっても、施錠をしていれば、いたずら等により外されて扉を開けられることがないものである。
【０００８】
また、扉を開いた時にのみ覆部から突出片を外すことができるので、突出片を覆部から離脱させれば、蝶番ピンを引き抜いて前記両蝶番部の枢着を解いて扉を箱本体から外すことができるものである。特に蝶番ピンの引き抜き作業は作業空間を広くとれる箱外で行えるので作業性が良いものとなる。
【発明を実施するための最良の形態】
【０００９】
次に、本発明の好ましい実施の形態を図を参照して説明する。
図１において、１はブレーカなどの電気機器を収納する電気機器収納箱の箱本体、２は該箱本体１の前面開口１ａの一側に蝶番装置３により枢着して開閉する扉である。そして、この扉２の蝶番装置３側と対向する他側付近には鎖錠装置４が取り付けられており、鍵を持たない者は扉２を開くことができないものであるが、扉２を箱本体１に枢着している蝶番装置３をいたずら等で分解して扉２を開かれることのないようにしている。
【００１０】
前記蝶番装置３の構造は、図２、図３に示すとおりのものである。
すなわち、箱本体1の一方の側面には、略円筒形の蝶番部３０を箱本体の側面に突出して形成してある。また、扉２側の一方の側面にも箱本体１の蝶番部３０と対応するように蝶番部３１が形成されていて、蝶番ピン３３にて枢着する構造としている。なお、この実施形態では、箱本体１側の蝶番部３０を扉２側の蝶番部３１が挟みこむように配置されている。
【００１１】
蝶番ピン３２の頭部３３には、抜け止め部材３４が装着されている。抜け止め部材３４は、図４、図５に示すように、蝶番ピン３２の頭部３３が挿入できる間隔３４ｂを形成した枠部３４ｃの内面に、頭部３３の周縁に張設した鍔部３３ａに係合する溝部３４ｄを設けた構造としている。また、抜け止め部材３４の枠部３４ｃの一部を突出させた突出片３４ａを弾性変形可能に設けている。なお、突出片３４ａには爪部３４ｅが設けられている。
【００１２】
このような形状とした抜け止め部材３４を、抜け止め部材３４を間隔３４ｂ側から蝶番ピンの鍔部３３ａに向けてスライドさせて装着すれば、蝶番ピン３２と該抜け止め部材３４が一体化したことになる。
なお、抜け止め部材３４の間隔３４ｂは、蝶番ピン３２の頭部３３の直径より若干小さく形成してあるので、抜け止め部材３４は蝶番ピン３２の頭部３３より脱落しないものである。
また、蝶番ピン３２の頭部３３に抜け止め部材３４を装着する手段はこれに限らす、抜け止め部材３４に頭部３３より若干小径の嵌合穴を設けて強制的に嵌合したものであってもよい。
【００１３】
一方、図６に示すように、扉２には覆部３５が、蝶番部３１に隣接して設けられている。そして、前記突出片３４ａを該覆部３５に扉閉時に隠蔽させて扉開時のみ該覆部３５から外すことを可能に保持させている。覆部３５は内部に突出片３４ａが収納可能な空間部を有すると共に、内向きの面に爪部３５ｅと係合する係合受片３５ａが設けられている。
【００１４】
図７、図８は箱本体1側の蝶番部３０を省略して、抜け止め部材が扉２に係脱する様子を示したものである。箱本体１に扉２を取り付けるときは、箱本体１側の蝶番部３０と扉２側の蝶番部３１との位置を対応させた上、扉２の内側より抜け止め部材３４を装着した蝶番ピン３２を挿入し、箱体１に扉２を枢着した後、突出片３４ａを覆部３５のところまで回転させ、突出片を撓ませて係合受片３５ａと爪部３４ｅとを係合させる。この状態で扉２を閉じれば、図２に示すように係合受片３５ａと突出片３４ａは覆部３５に覆われて隠蔽されて、また、鎖錠装置４を施錠すれば扉２を開くことができないので、外部より蝶番ピン３２を不正に外すことができないものである。
【００１５】
また、扉２を箱本体１より取り外すときは、鎖錠装置４を開錠して扉２を開い時にのみ突出片３４ａを覆部３５から外すことを可能に保持させているので、扉を開いた後、扉２の内側より突出片３４ａを弾性変形させることにより、覆部３５の係合受片３５ａより爪部３４ｅを離脱させ、突出片３４ａが覆部３５より離脱するところまで回転させた後、垂直方向に蝶番ピン３２を引き抜くことが可能となり、電気機器収納用箱の箱体１より扉２を取り外すことができる。
【００１６】
上記のような構成により、鎖錠装置４を開錠した時には、扉２の着脱が容易になり、配線等の作業性が向上するものであると共に、扉２を閉じて鎖錠装置４を施錠した状態では、蝶番ピン３２を外すことができないので、いたずらを防止できるものである。
なお、この実施形態では、覆部３５は、扉２に設けた蝶番部３１に隣接して設けたものであるが、箱本体１の蝶番部３０に隣接して設けたものとしても良い。すなわち、扉２の蝶番部３１を略円筒形に形成すると共に、扉２側の蝶番部３１を箱本体１側の蝶番部３０で挟みこむように配置し、箱本体１側の蝶番部３０に隣接して、覆部３５を設けても良い。
【図面の簡単な説明】
【００１７】
【図１】本発明の実施形態を示す扉を閉じた状態の横断面図である。
【図２】扉を閉じた状態の蝶番構造の斜視図である。
【図３】蝶番構造の分解斜視図である。
【図４】抜け止め部材の斜視図である。
【図５】抜け止め部材の斜視図である。
【図６】扉側の蝶番部分の斜視図である。
【図７】蝶番ピンが扉側の蝶番部に係脱する様子を箱本体を省略して示す斜視図である。
【図８】蝶番ピンが扉側の蝶番部に係脱する様子を箱本体を省略して示す斜視図である。
【符号の説明】
【００１８】
１  箱本体
２  扉
30  蝶番部
31  蝶番部
32  蝶番ピン
・  頭部
・  抜け止め部材
34a  突出片
35  覆部
35a  係合受片
【図１】
2008291457.tif 000003
【図２】
2008291457.tif 000004
【図３】
2008291457.tif 000005
【図４】
2008291457.tif 000006
【図５】
2008291457.tif 000007
【図６】
2008291457.tif 000008
【図７】
2008291457.tif 000009
【図８】
2008291457.tif 000010